(57)【要約】      （修正有）【課題】免震層を横断する給水枝管で、特殊な免震継手を使用せず、フレキシブルパイプも使用しないで、地震発生時に変位により給水配管が破断することを防止する給水システムを提供する。【解決手段】建物の下方躯体と上方躯体の間に形成された免震スリット１７を縦方向に貫く給水メイン管２と、給水メイン管２から分岐した給水枝管３を固定装置４により固定し、地震により建物の下方躯体と上方躯体の間に形成された免震スリット１７に大きな変位が生じたとき、緊張した糸状体６がピンを引く抜くことによって、リング状部材と固定部材の固定が外れることにより、リング状部材が自由に移動可能になり、給水枝管３は上方躯体に追従して地震による変位を水平移動する。【選択図】図１
2015094139.tif 000002
【特許請求の範囲】
【請求項１】
建物の上方躯体と下方躯体の間に形成された免震スリットを鉛直方向に横断する給水メイン管とこの給水メイン管から分岐した給水枝管を、固定装置により固定して前記建物に設置する給水配管システムにおいて、前記固定装置は、地震により前記免震スリットに変位が生じたとき、固定状態を解除自在に構成されていることを特徴とする給水配管システム。
【請求項２】
前記固定装置は、前記給水メイン管または前記給水枝管に着脱自在に取り付けられたリング状部材と前記下方躯体に固定され固定部材とからなり、前記リング状部材と前記固定部材の水平部材のそれぞれの自由端に設けられた孔にピンを挿入することにより前記建物に固定されるものであり、前記ピンは、前記上方躯体またはそれに固定されたものと糸状体により緊張した状態で結ばれていて、地震により前記免震スリットに変位が生じたとき、緊張した糸状体が前記ピンを引き抜くことによって、前記固定装置の固定状態を解除することを特徴とする請求項１に記載された給水配管システム
【請求項３】
前記固定装置は、一端が前記下方躯体に固定された固定部と、他端が前記給水メイン管または前記給水枝管に押付けることで取り付け可能な半円以上の円弧形状の取付部とで構成され、地震により前記免震スリットに変位が生じたとき、前記円弧形状の取付部から前記給水メイン管または前記給水枝管が外れることを特徴とする請求項１に記載された給水配管システム。
【発明の詳細な説明】
【技術分野】
【０００１】
本発明は、免震構造物における給水配管において、特殊な免震継手を使用することなく、給水メイン管から分岐する枝的な給水配管が、免震スリットを横断して、地震発生時に変位により給水配管が破断することを防止する給水システムである。
【背景技術】
【０００２】
従来の免震層を横断する給水配管は、免震層に特殊な免震継手を給水メイン管に適用していた。この場合は、主に建物の下部（ピット部）に免震層が設けられている場合に適用されていて、建物の中間層に免震層が設けられている場合には、給水メイン管から分岐した給水枝管が存在しているため、給水メイン管のみだけでなく給水枝管にも免震継手を使用する必要が生じる。
【０００３】
また、給水枝管に公知の給水用のフレキシブルパイプを使用して、地震時の変位を吸収することも考えられている（例えば、特許文献１参照）。
【先行技術文献】
【特許文献】
【０００４】
【特許文献１】特開２００３ー２７５３６号公報
【発明の概要】
【発明が解決しようとする課題】
【０００５】
しかし、特殊な免震継手は、高額であるばかりか、地震時に変位を吸収する固定部材を設置固定する作業があるため、施工作業に長時間を要し、このために免震構造物全体が高コストとなるとともに、工期の長期化を招く原因の一つになっている。
【０００６】
また、給水枝管に前記フレキシブルパイプを使用して、地震時の変位を吸収しようとする場合、その変位に対応したフレキシブルパイプの長さが必要になり、そのフレキシブルパイプの固定を行うことが難点である。
【０００７】
さらに、地震動の変位により、そのフレキシブルパイプが反復して、往復運動を行うことにより、フレキシブルパイプの可撓部分に摩耗が生じて、いずれは欠損して漏水する可能性がある。
【０００８】
本発明は、前記問題点を解決するためになされたものであって、免震層を横断する給水枝管は、特殊な免震継手を適用しないこと、および地震時の変位に対応するために、フレキシブルパイプを使用しないで、配管を固定する金具が地震力により固定がはずれることを課題とする。
【課題を解決するための手段】
【０００９】
請求項１に記載の発明は、建物の上方躯体と下方躯体の間に形成された免震スリットを鉛直方向に横断する給水メイン管とこの給水メイン管から分岐した給水枝管を、固定装置により固定して前記建物に設置する給水配管システムにおいて、前記固定装置は、地震により前記免震スリットに変位が生じたとき、固定状態を解除自在に構成されていることを特徴とする給水配管システムとした。
【００１０】
請求項２に記載の発明は、前記固定装置は、前記給水メイン管または前記給水枝管に着脱自在に取り付けられたリング状部材と前記下方躯体に固定され固定部材とからなり、前記リング状部材と前記固定部材の水平部材のそれぞれの自由端に設けられた孔にピンを挿入することにより前記建物に固定されるものであり、前記ピンは、前記上方躯体またはそれに固定されたものと糸状体により緊張した状態で結ばれていて、地震により前記免震スリットに変位が生じたとき、緊張した糸状体が前記ピンを引き抜くことによって、前記固定装置の固定状態を解除することを特徴とする請求項１に記載された給水配管システムとした。
【００１１】
請求項３に記載の発明は、前記固定装置は、一端が前記下方躯体に固定された固定部と、他端が前記給水メイン管または前記給水枝管に押付けることで取り付け可能な半円以上の円弧形状の取付部とで構成され、地震により前記免震スリットに変位が生じたとき、前記円弧形状の取付部から前記給水メイン管または前記給水枝管が外れることを特徴とする請求項１に記載された給水配管システムとした。
【発明の効果】
【００１２】
請求項１に記載の発明は、地震により免震スリットに大きな変位が生じたとき、給水枝管の固定状態が外れて解除になり自由になることによって、給水枝管の破断を防止することができる。
【００１３】
請求項２に記載の発明は、地震により免震スリットに大きな変位が生じたとき、緊張した糸状体がピンを引き抜くことによって、確実に固定装置の固定状態を解除することができ、給水枝管の破断を防止することができる。
【００１４】
請求項３に記載の発明は、地震により免震スリットに大きな変位が生じたとき、確実に円弧形状の取付部から前記給水メイン管または前記給水枝管が外れることにより、破断を防止することができる。
【図面の簡単な説明】
【００１５】
【図１】本発明の実施形態に係る給水枝管の簡易免震施工の実施例１の斜視図である。
【図２】図１の固定部材Ａの部分詳細図である。
【図３】本発明の実施形態に係る給水枝管の簡易免震施工の実施例２の斜視図である。
【図４】図３の円弧状の取付部Ｂの平面詳細図である。
【発明を実施するための形態】
【００１６】
本発明の実施形態に係る免震構造物における給水配管構造について、図面を参照しながら説明する。
【００１７】
この第１実施の形態に係る免震構造物における給水配管構造１は、図１に示すように、建物の下方躯体と上方躯体の間に形成された免震スリット１７を縦方向に貫く給水メイン管２と前記給水メイン管２から分岐した給水枝管３を固定装置４により固定して前記建物に設置されている。
【００１８】
給水枝管３の先は、エルボ８を接続して縦方向から横方向にして、給水栓（蛇口）５を接続することにより、前記給水栓５を開閉することで、水を吐出することができる。
【００１９】
図２に示すように前記固定装置４は、前記給水メイン管２または前記給水枝管３に着脱自在に取り付けられたリング状部材９と前記下方躯体に固定され固定部材１０とからなり、前記リング状部材９と前記固定部材１０の水平部材のそれぞれの自由な箇所に設けられた孔１２にピン１１を挿入することにより、前記建物に固定されている。
【００２０】
前記ピン１１は、前記上方躯体またはそれに固定されたものと糸状体６により緊張した状態で結ばれている。
【００２１】
地震により建物の下方躯体と上方躯体の間に形成された免震スリット１７に大きな変位が生じたとき、緊張した糸状体６が前記ピン１１を引く抜くことによって、前記リング状部材９と前記固定部材１０の固定が外れることにより、解除され、前記給水枝管３は前記上方躯体に追従して地震による変位を水平移動することになる。
前記孔１２は、下部から上部に沿って若干広がるようなテーパー１３を付けることで、地震による変位によって、前記ピン１１がスムーズに引き抜けるようになる。
【００２２】
地震による反復振動による建物の下方躯体と上方躯体の間に形成された免震ユニット１７においても反復振動に応じて変位し、その変位に追従することにより前記給水枝管３は、反復振動することになり、地震の震動の終焉により、前記給水枝管３も変位を終える。
【００２３】
第２実施の形態に係る免震構造物における給水配管構造１は、図３に示すように、図１と共通する番号は、そのままの番号を記載している。
【００２４】
図４に示すように、前記固定装置４は、一端が前記下方躯体に固定部１５がアンカー１６等で固定されている。他端は、前記給水メイン管２または前記給水枝管３押付けることで取り付け可能な半円以上の円弧形状１４の取付部１５で前記給水枝管３を固定する。
【００２５】
地震により建物の下方躯体と上方躯体の間に形成された免震スリット１７に大きな変位が生じたとき、前記給水枝管３と前記固定装置４との間に大きな応力が生じて、前記給水枝管４が破断される応力が生じる前に、前記円弧形状１４の取付部１５から前記給水枝管３が外れることにより、前記給水枝管３は、破断を免れる。
【符号の説明】
【００２６】
１  給水配管構造
２  給水メイン管
３  給水枝管
４  固定装置
５  給水栓（蛇口）
６  糸状体
７  躯体壁
８  エルボ
９  リング状部材
１０  固定部材
１１  ピン
１２  孔
１３  テーパー
１４  半円以上の円弧形状
１５  取付部
１６  アンカー
１７  免震スリット
【図１】
2015094139.tif 000003
【図２】
2015094139.tif 000004
【図３】
2015094139.tif 000005
【図４】
2015094139.tif 000006